(57)【要約】【課題】実際に使用されるトナーの量に適したトナー使用量を算出することができる画像形成装置を提供する。【解決手段】画像形成装置１００は、装着部３１と、画像形成部３０と、算出部１５２と、変更部１５４とを備える。装着部３１は、交換部品が装着される。交換部品３４は、トナーを収容する。算出部１５２は、画像データに基づいてトナー使用算出量を算出する。変更部１５４は、トナー使用実測量とトナー使用想定量との比較結果に基づいてトナー使用算出量を変更する。トナー使用算出量は、画像形成対象に画像形成するために算出されるトナーの量を示す。トナー使用実測量は、交換部品から使用されたトナーの量を示す。トナー使用想定量は、交換部品が装着されてから現在の画像形成対象に画像を形成する直前または直後までに使用されることが想定されるトナーの量を示す。【選択図】図１
2019060950.tif 000002
【特許請求の範囲】
【請求項１】
トナーを収容する交換部品が装着される装着部と、
画像形成対象である被記録媒体に前記トナーを用いて画像を形成する画像形成部と、
画像データに基づいてトナー使用算出量を算出する算出部と、
トナー使用実測量とトナー使用想定量との比較結果に基づいて前記トナー使用算出量を変更する変更部と
を備え、
前記トナー使用算出量は、前記画像形成対象に画像形成するために算出される前記トナーの量を示し、
前記トナー使用実測量は、前記交換部品から使用された前記トナーの量を示し、
前記トナー使用想定量は、前記交換部品が装着されてから現在の画像形成対象に画像を形成する直前または直後までに使用されることが想定される前記トナーの量を示す、画像形成装置。
【請求項２】
前記変更部は、前記トナー使用実測量と、前記トナー使用想定量との比率に基づいて前記トナー使用算出量を変更する、請求項１に記載の画像形成装置。
【請求項３】
画像形成対象の数に対応付けて前記トナー使用想定量を記憶する記憶部をさらに備え、
前記変更部は、前記記憶部に記憶された前記トナー使用想定量のうちから、画像形成対象の数に対応する前記トナー使用想定量を特定し、特定した前記トナー使用想定量を参照して前記トナー使用算出量を変更する、請求項１または請求項２に記載の画像形成装置。
【請求項４】
前記変更部は、前記トナー使用実測量と前記トナー使用想定量との差分が所定の範囲を超えるか否かを判定し、前記所定の範囲を超えると判定した場合、前記トナー使用実測量と前記トナー使用想定量との比較結果に基づいて前記トナー使用算出量を変更する、請求項１から請求項３のいずれか１項に記載の画像形成装置。
【請求項５】
前記装着部に装着された前記交換部品が第１交換部品であるか前記第１交換部品と異なる第２交換部品であるかを判定する判定部をさらに備え、
前記装着部に前記第１交換部品が装着されていると前記判定部が判定した場合、前記変更部は、前記トナー使用算出量を変更しない、請求項１から請求項４のいずれか１項に記載の画像形成装置。
【請求項６】
画面を表示する表示部をさらに備え、
前記装着部に前記第２交換部品が装着されていると前記判定部が判定した場合、前記表示部は、前記トナー使用算出量が変更になる可能性があることを示す画面を表示する、請求項５に記載の画像形成装置。
【請求項７】
前記表示部は、前記トナー使用実測量と前記トナー使用想定量との比率を表示する、請求項６に記載の画像形成装置。
【請求項８】
前記トナー使用算出量に基づいて課金情報を算出する課金部をさらに備える、請求項１から請求項７のいずれか１項に記載の画像形成装置。
【発明の詳細な説明】
【技術分野】
【０００１】
本発明は、画像形成装置に関する。
【背景技術】
【０００２】
画像形成装置において、使用されるトナーの量に応じてユーザーに課金を行うことがある。例えば、画像データに基づいて、被記録媒体に画像を形成する際のトナー使用量を算出することがある（例えば、特許文献１）。特許文献１の画像形成装置では、ドットカウンターから出力されるドットカウント値に基づいてトナー使用量を算出している。
【先行技術文献】
【特許文献】
【０００３】
【特許文献１】特開２００５−２２１７４８号公報
【発明の概要】
【発明が解決しようとする課題】
【０００４】
しかしながら、特許文献１に記載の画像形成装置では、算出したトナー使用量が実際に使用されるトナーの量と大きく異なる可能性がある。例えば、画像形成装置の専用品ではないトナーコンテナを使用している場合、トナーの特性の違いによって、算出したトナー使用量が実際に使用されるトナーの量と大きく異なる可能性がある。例えば、トナーの帯電性が悪い場合、感光体ドラムへのトナーの飛散率が高くなり、専用品のトナーコンテナに比べて、多くのトナーを消費する可能性がある。
【０００５】
本発明は上記課題に鑑みてなされたものであり、その目的は実際に使用されるトナーの量に適したトナー使用量を算出することができる画像形成装置を提供することにある。
【課題を解決するための手段】
【０００６】
本発明に係る画像形成装置は、装着部と、画像形成部と、算出部と、変更部とを備える。前記装着部は、交換部品が装着される。前記交換部品は、トナーを収容する。前記画像形成部は、被記録媒体に前記トナーを用いて画像を形成する。前記被記録媒体は、画像形成対象である。前記算出部は、画像データに基づいてトナー使用算出量を算出する。前記変更部は、トナー使用実測量とトナー使用想定量との比較結果に基づいて前記トナー使用算出量を変更する。前記トナー使用算出量は、前記画像形成対象に画像形成するために算出される前記トナーの量を示す。前記トナー使用実測量は、前記交換部品から使用された前記トナーの量を示す。前記トナー使用想定量は、前記交換部品が装着されてから現在の画像形成対象に画像を形成する直前または直後までに使用されることが想定される前記トナーの量を示す。
【発明の効果】
【０００７】
本発明によれば、実際に使用されるトナーの量に適したトナー使用量を算出することができる。
【図面の簡単な説明】
【０００８】
【図１】本発明の実施形態に係る画像形成装置の内部構造を示す断面図である。
【図２】交換部品の周辺を示す模式図である。
【図３】制御部を示すブロック図である。
【図４】記憶部が記憶する画像形成枚数とトナー使用想定量とを示す図である。
【図５】本発明の実施形態に係る画像形成装置のトナー使用算出量の変更方法を示すフローチャートである。
【図６】本発明の実施形態に係る画像形成装置のトナー使用算出量の変更方法を示すフローチャートである。
【図７】表示部を示す模式図である。
【図８】表示部を示す模式図である。
【発明を実施するための形態】
【０００９】
以下、本発明の実施形態について、図面を参照しながら説明する。なお、図中、同一または相当部分については同一の参照符号を付して説明を繰り返さない。
【００１０】
図１〜図４を参照して、実施形態に係る画像形成装置１００について説明する。図１は、本発明の実施形態に係る画像形成装置１００の内部構造を示す断面図である。
【００１１】
画像形成装置１００は、画像形成部３０と、複数の装着部（装着部３１Ｙ、装着部３１Ｍ、装着部３１Ｃおよび装着部３１Ｂｋ）と、定着部６０と、給紙部４０と、表示部８０と、制御部１５と、記憶部１７とを備える。本明細書において、装着部３１Ｙ、装着部３１Ｍ、装着部３１Ｃおよび装着部３１Ｂｋを総称して、装着部３１と記載することがある。
【００１２】
画像形成装置１００には、搬送経路５０が形成されている。画像形成部３０は、被記録媒体Ｐにトナー像を形成する。定着部６０は、トナー像を被記録媒体Ｐに定着させる。給紙部４０は、画像形成部３０へ搬送される定型の被記録媒体Ｐを貯留する。搬送経路５０は、給紙部４０から、画像形成部３０および定着部６０を経由して、排出口７０まで被記録媒体Ｐが搬送される経路である。
【００１３】
画像形成部３０は、画像形成対象である被記録媒体Ｐにトナーを用いて画像を形成する。被記録媒体Ｐは画像形成対象である。詳しくは、画像形成部３０は、フルカラーのトナー像を被記録媒体Ｐに転写する。画像形成部３０は、画像形成ユニット３２と、中間転写ユニット３３とを含む。画像形成ユニット３２は、イエローＹ、マゼンタＭ、シアンＣおよびブラックＢｋの各色のトナー像をそれぞれ形成する４つの画像形成ユニット３２Ｙ、３２Ｍ、３２Ｃおよび３２Ｂｋを含む。各画像形成ユニット３２Ｙ、３２Ｍ、３２Ｃおよび３２Ｂｋは、現像ユニット３５と、感光体ユニット３６とを含む。
【００１４】
中間転写ユニット３３は、中間転写ベルト３３１と、クリーニング装置３３４とを備える。中間転写ベルト３３１は、無端ベルトである。クリーニング装置３３４は、中間転写ベルト３３１の外周面に残っているトナーをクリーニングする。
【００１５】
装着部３１には、交換部品が装着される。詳しくは、装着部３１Ｙ、３１Ｍ、３１Ｃ、および３１Ｂｋのそれぞれには、交換部品３４Ｙ、３４Ｍ、３４Ｃ、および３４Ｂｋが装着される。
【００１６】
交換部品３４Ｙ、３４Ｍ、３４Ｃ、および３４Ｂｋはそれぞれ、イエローＹ、マゼンタＭ、シアンＣ、およびブラックＢｋの各色のトナーを収容する。イエローＹ、マゼンタＭ、シアンＣ、およびブラックＢｋの各色のトナーが、各色に対応する画像形成ユニット３２Ｙ、３２Ｍ、３２Ｃ、および３２Ｂｋの現像ユニット３５に、交換部品３４Ｙ、３４Ｍ、３４Ｃ、および３４Ｂｋから、図略の供給経路を通して供給される。本明細書において、交換部品３４Ｙ、３４Ｍ、３４Ｃ、および３４Ｂｋを総称して、交換部品３４と記載することがある。
【００１７】
交換部品３４は、第１交換部品と、第１交換部品と異なる第２交換部品とを含む。第１交換部品は、例えば、画像形成装置１００の専用品を示す。第２交換部品は、例えば、専用品と異なる交換部品を示す。例えば、第２交換部品に収容されるトナーの特性は、第１交換部品に収容されるトナーの特性と異なる。
【００１８】
図２を参照して、交換部品３４についてさらに説明する。図２は、交換部品３４Ｙの周辺を示す模式図である。図２に示す交換部品３４Ｙは、イエロー用の交換部品３４を示す。マゼンタ用の交換部品３４Ｍ、シアン用の交換部品３４Ｃ、およびブラック用の交換部品３４Ｂｋも同様の構成を有する。
【００１９】
図２に示すように、交換部品３４Ｙは、記憶素子８とセンサー９とを有する。装着部３１Ｙは、読取装置７を有する。記憶素子８には、交換部品３４ＹのＩＤ情報が記憶されている。センサー９は、交換部品３４Ｙに収容されているトナーの残量を検出する。センサー９は、例えば、トナーの残量を５％刻みで検出可能である。センサー９には、例えば、コンテナ本体内に堆積されたトナーの高さを検出する光センサーなどを用いることができる。読取装置７は、記憶素子８に記憶されたＩＤ情報を読み取る。詳しくは、読取装置７は、交換部品３４が装着部３１に装着されると、装着された交換部品３４が有する記憶素子８に記憶されたＩＤ情報を読み取る。読取装置７は、読み取ったＩＤ情報を示す信号を制御部１５に送信する。本実施形態において、記憶素子８は、例えば、ＲＦＩＤタグであり、読取装置７は、例えば、ＲＦＩＤリーダーである。なお、読取装置７は、例えば、交換部品３４を検知する検知センサーによって、交換部品３４が装着部３１に装着されたことを検知することができる。
【００２０】
制御部１５は、例えば、ＣＰＵ（Ｃｅｎｔｒａｌ  Ｐｒｏｃｅｓｓｉｎｇ  Ｕｎｉｔ）である。制御部１５は、記憶部１７に予め記憶された制御プログラムを実行することにより、画像形成装置１００の各部の動作を制御する。
【００２１】
記憶部１７は、例えば、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）である。記憶部１７は、例えば、プログラムおよび設定情報を記憶する。
【００２２】
表示部８０は、画面８１を表示する。表示部８０は、例えば、ソフトウェアボタンを表示可能なタッチパネル機能を有するディスプレーである。
【００２３】
図３を参照して、制御部１５についてさらに説明する。図３は、制御部１５を示すブロック図である。
【００２４】
図３に示すように、制御部１５は、算出部１５２と、変更部１５４と、課金部１５６と、判定部１５８とを有する。
【００２５】
算出部１５２は、画像データに基づいてトナー使用算出量ＴＮｃ１を算出する。トナー使用算出量ＴＮｃ１は、画像形成対象に画像を形成するために算出されるトナーの量を示す。算出部１５２は、例えば、画像データに含まれるドット数を積算した値に係数を乗算することによりトナー使用算出量ＴＮｃ１を算出する。詳しくは、算出部１５２は、イエローＹ、マゼンタＭ、シアンＣ、およびブラックＢｋのトナーの各色について、画像データに含まれるドット数をカウントする。そして、算出部１５２は、画像データの文字部と非文字部とに分けてドット数をカウントすることが好ましい。文字部は、画像データのうち文字を示す画像が形成される部分を示す。非文字部は、画像データのうち絵または写真を示す画像が形成される部分を示す。
【００２６】
算出部１５２は、例えば、以下の式１によって、トナーの各色についてトナー使用算出量を算出する。
【００２７】
ＴＮｃ１  ＝  Ｋ１×Ｄ１  ＋  Ｋ２×Ｄ２  （式１）
【００２８】
ＴＮｃ１は、トナー使用算出量を示す。Ｋ１は文字部用の係数を示す。Ｄ１は文字部のドットカウント数を示す。Ｋ２は非文字部用の係数を示す。Ｄ２は非文字部のドットカウント数を示す。文字部は、非文字部よりもトナー使用量が多くなる傾向があるため、係数Ｋ１は、係数Ｋ２よりも大きく設定されることが好ましい。
【００２９】
変更部１５４は、トナー使用実測量とトナー使用想定量との比較結果に基づいてトナー使用算出量を変更する。本実施形態では、変更部１５４は、トナー使用実測量と、トナー使用想定量との比率に基づいてトナー使用算出量を変更する。トナー使用実測量は、交換部品３４から使用されたトナーの量を示す。トナー使用実測量は、例えば、交換部品３４のセンサー９（図２参照）によって検出される。トナー使用想定量は、交換部品３４が装着されてから現在の画像形成対象に画像を形成する直前または直後までに使用されることが想定されるトナーの量を示す。以下、本明細書において、トナー使用実測量と、トナー使用想定量との比率Ｒを補正係数と記載することがある。
【００３０】
変更部１５４は、例えば、以下の式２によって、トナーの各色について比率Ｒを算出する。
【００３１】
比率Ｒ  ＝トナー使用実測量／トナー使用想定量  （式２）
【００３２】
また、変更部１５４は、例えば、以下の式３によって、トナー使用算出量を変更する。
【００３３】
ＴＮｃ２  ＝ＴＮｃ１  ×  比率Ｒ  （式３）
【００３４】
ＴＮｃ１は、式１によって、算出部１５２が算出したトナー使用算出量を示す。ＴＮｃ２は、変更後のトナー使用算出量を示す。比率Ｒは、式２によって、変更部１５４が算出したトナー使用実測量と、トナー使用想定量との比率である。
【００３５】
課金部１５６は、トナー使用算出量（トナー使用算出量ＴＮｃ１または変更後のトナー使用算出量ＴＮｃ２）に基づいて課金情報を算出する。
【００３６】
判定部１５８は、装着部３１に装着された交換部品３４が第１交換部品であるか第２交換部品であるかを判定する。例えば、判定部１５８は、読取装置７（図２参照）が読み取ったＩＤ情報を示す信号に基づいて、装着部３１に装着された交換部品３４が第１交換部品であるか第２交換部品であるかを判定する。
【００３７】
本実施形態では、判定部１５８が、装着部３１に装着された交換部品３４が第２交換部品であると判定した場合、変更部１５４は、トナー使用算出量ＴＮｃ１を変更する。交換部品３４が第２交換部品である場合、交換部品３４に収容されるトナーの特性が第１交換部品のトナー特性と異なる可能性があり、トナー使用実測量と、トナー使用想定量とが異なる可能性があるためである。
【００３８】
図１〜図４を参照して、トナー使用想定量について、さらに説明する。図４は、記憶部１７が記憶する画像形成枚数とトナー使用想定量とを示す図である。
【００３９】
図４に示すように、記憶部１７は、画像形成枚数（画像形成対象の数）に対応付けてトナー使用想定量を記憶している。トナー使用想定量は、例えば、画像形成装置１００の工場出荷前に予め、画像形成装置１００の製造者によって装着部３１に第１交換部品を装着した際に取得されたデータである。また、記憶部１７は、累積画像形成枚数を記憶している。累積画像形成枚数は、交換部品３４が装着されてから現在の画像形成対象に画像を形成する直前または直後までにおける画像形成対象の数を示す。
【００４０】
変更部１５４は、記憶部１７に記憶されたトナー使用想定量のうちから、累積画像形成枚数に対応するトナー使用想定量を特定する。例えば、累積画像形成枚数が１２００枚の場合、変更部１５４は、トナー使用想定量を１０％と特定する。そして、変更部１５４は、特定したトナー使用想定量を参照してトナー使用算出量を変更する。
【００４１】
図１〜図５を参照して、本発明の実施形態に係る画像形成装置１００のトナー使用算出量の変更方法について説明する。図５は、本発明の実施形態に係る画像形成装置１００のトナー使用算出量の変更方法を示すフローチャートである。図５に示すステップＳ１０２〜ステップＳ１１６の処理が実行されることによって、トナー使用算出量の変更が行われる。なお、トナー使用算出量の変更は、トナーの各色について行われる。
【００４２】
ステップＳ１０２：画像形成部３０が被記録媒体Ｐに画像を形成する。処理は、ステップＳ１０４に進む。
【００４３】
ステップＳ１０４：算出部１５２は、画像データに基づいて、トナー使用算出量を算出する。処理は、ステップＳ１０６に進む。
【００４４】
ステップＳ１０６：判定部１５８は、装着部３１に装着されている交換部品３４が第２交換部品であるか否かを判定する。判定部１５８が交換部品３４は第２交換部品でないと判定した場合（ステップＳ１０６：Ｎｏ）、処理は、ステップＳ１１４に進む。判定部１５８が交換部品３４は第２交換部品であると判定した場合（ステップＳ１０６：Ｙｅｓ）、処理は、ステップＳ１０８に進む。
【００４５】
ステップＳ１０８：センサー９は、トナー使用実測量を検出する。処理は、ステップＳ１１０に進む。
【００４６】
ステップＳ１１０：変更部１５４は、トナー使用想定量を特定する。処理は、ステップＳ１１２に進む。
【００４７】
ステップＳ１１２：変更部１５４は、トナー使用実測量と、トナー使用想定量との比率Ｒに基づいて、トナー使用算出量を変更する。処理は、ステップＳ１１６に進む。
【００４８】
ステップＳ１１４：変更部１５４は、トナー使用算出量を保持する。すなわち、変更部１５４は、トナー使用算出量を変更しない。処理は、ステップＳ１１６進む。
【００４９】
ステップＳ１１６：課金部１５６は、トナー使用算出量に基づいて課金情報を算出する。処理は、終了する。
【００５０】
以上、図１〜図５を参照して説明したように、変更部１５４は、トナー使用実測量とトナー使用想定量との比較結果に基づいてトナー使用算出量を変更する。したがって、実際に使用されるトナーの量に適したトナー使用量を算出することができる。
【００５１】
また、変更部１５４は、トナー使用実測量と、トナー使用想定量との比率Ｒに基づいてトナー使用算出量を変更する。したがって、実際に使用されるトナーの量に適したトナー使用量を算出することができる。
【００５２】
また、装着部３１に第１交換部品が装着されていると判定部１５８が判定した場合、変更部１５４は、トナー使用算出量を変更しない。したがって、変更部１５４の処理の負荷を軽減することができる。
【００５３】
なお、変更部１５４は、トナー使用実測量と、トナー使用想定量との差分が所定の範囲を超えた場合に、トナー使用算出量を変更するようにしてもよい。所定の範囲は、例えば、１０％である。すなわち、トナー使用実測量と、トナー使用想定量との差分が１０％を超える場合に、変更部１５４は、トナー使用算出量を変更する。一方、トナー使用実測量と、トナー使用想定量との差分が１０％以内の場合に、変更部１５４は、トナー使用算出量を変更しない。
【００５４】
図１〜図４および図６を参照して、本発明の実施形態に係る画像形成装置１００のトナー使用算出量の変更方法について説明する。図６は、本発明の実施形態に係る画像形成装置１００のトナー使用算出量の変更方法を示すフローチャートである。図６に示すステップＳ２０２〜ステップＳ２１８の処理が実行されることによって、トナー使用算出量の変更が行われる。なお、トナー使用算出量の変更は、トナーの各色について行われる。図６に示すステップＳ２０２〜Ｓ２１０およびＳ２１４〜Ｓ２１８のそれぞれは、図５に示すステップＳ１０２〜Ｓ１１０およびＳ１１２〜Ｓ１１６に対応する。
【００５５】
ステップＳ２０２：画像形成部３０が被記録媒体Ｐに画像を形成する。処理は、ステップＳ２０４に進む。
【００５６】
ステップＳ２０４：算出部１５２は、画像データに基づいて、トナー使用算出量を算出する。処理は、ステップＳ２０６に進む。
【００５７】
ステップＳ２０６：判定部１５８は、装着部３１に装着されている交換部品３４が第２交換部品であるか否かを判定する。判定部１５８が交換部品３４は第２交換部品でないと判定した場合（ステップＳ２０６：Ｎｏ）、処理は、ステップＳ２１６に進む。判定部１５８が交換部品３４は第２交換部品であると判定した場合（ステップＳ２０６：Ｙｅｓ）、処理は、ステップＳ２０８に進む。
【００５８】
ステップＳ２０８：センサー９は、トナー使用実測量を検出する。処理は、ステップＳ２１０に進む。
【００５９】
ステップＳ２１０：変更部１５４は、トナー使用想定量を特定する。処理は、ステップＳ２１２に進む。
【００６０】
ステップＳ２１２：変更部１５４は、トナー使用実測量とトナー使用想定量との差分が所定の範囲を超えるか否かを判定する。変更部１５４が、トナー使用実測量とトナー使用想定量との差分が所定の範囲を超えないと判定した場合（ステップＳ２１２：Ｎｏ）、処理は、ステップＳ２１６に進む。変更部１５４が、トナー使用実測量とトナー使用想定量との差分が所定の範囲を超えると判定した場合（ステップＳ２１２：Ｙｅｓ）、処理は、ステップＳ２１４に進む。
【００６１】
ステップＳ２１４：変更部１５４は、トナー使用実測量と、トナー使用想定量との比率Ｒに基づいて、トナー使用算出量を変更する。処理は、ステップＳ２１８に進む。
【００６２】
ステップＳ２１６：変更部１５４は、トナー使用算出量を保持する。すなわち、変更部１５４は、トナー使用算出量を変更しない。処理は、ステップＳ２１８進む。
【００６３】
ステップＳ２１８：課金部１５６は、トナー使用算出量に基づいて課金情報を算出する。処理は、終了する。
【００６４】
以上、図１〜図４および図６を参照して説明したように、変更部１５４は、トナー使用実測量とトナー使用想定量との差分が所定の範囲を超えるか否かを判定する。そして、変更部１５４は、所定の範囲を超えると判定した場合、トナー使用実測量とトナー使用想定量との比較結果に基づいてトナー使用算出量を変更する。したがって、変更部１５４は、トナー使用実測量とトナー使用想定量とが大きく異なる場合に、トナー使用算出量を変更する。その結果、制御部１５の処理の負荷を軽減することができる。
【００６５】
図７を参照して、装着部３１に第２交換部品が装着されている場合の表示部８０の表示について説明する。図７は、表示部８０を示す模式図である。
【００６６】
図７に示すように、装着部３１に第２交換部品が装着されていると判定部１５８が判定した場合、表示部８０は、トナー使用算出量が変更になる可能性があることを示す画面８１を表示する。例えば、表示部８０は、画面８１に「第１交換部品以外の場合、トナー使用算出量の値が変わる可能性があります。」というメッセージを表示する。メッセージは、例えば、画像形成装置１００の起動時に表示される。したがって、画像形成装置１００を使用するユーザーは、トナー使用算出量が変更になる可能性があることを知ることができる。
【００６７】
図８を参照して、トナー使用算出量の補正係数の確認画面について説明する。図８は、表示部８０を示す模式図である。
【００６８】
図８に示すように、表示部８０は、トナー使用算出量の補正係数を表示する。補正係数は、トナー使用実測量とトナー使用想定量との比率Ｒである。補正係数は、例えば、サービスマンが使用するメンテナンスモードの際に、サービスマンによって画像形成装置１００が操作されることによって表示部８０に表示される。したがって、サービスマンは、どの程度、トナー使用算出量が補正されているかを確認することができる。例えば、Ｋトナーの補正係数が、１．２０であることを確認することによって、トナー使用算出量が１．２０倍に補正されていることを確認することができる。
【００６９】
以上、図面（図１〜図８）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００７０】
図１〜図８を参照した画像形成装置１００は、装着部３１に第２交換部品が装着されていると判定部１５８が判定した場合、変更部１５４は、トナー使用算出量を変更していたが、本発明はこれに限定されない。例えば、装着部３１に装着された交換部品３４が第１交換部品であるか第２交換部品であるかに関わらず、トナー使用実測量とトナー使用想定量との比較結果に基づいてトナー使用算出量を変更するようにしてもよい。
【符号の説明】
【００７１】
１５      制御部
１７      記憶部
３０      画像形成部
３１、３１Ｙ、３１Ｍ、３１Ｃ、３１Ｂｋ  装着部
３４、３４Ｙ、３４Ｍ、３４Ｃ、３４Ｂｋ  交換部品
８０      表示部
８１      画面
１００    画像形成装置
１５２    算出部
１５４    変更部
１５６    課金部
１５８    判定部
Ｐ        被記録媒体
Ｒ        比率
【図１】
2019060950.tif 000003
【図２】
2019060950.tif 000004
【図３】
2019060950.tif 000005
【図４】
2019060950.tif 000006
【図５】
2019060950.tif 000007
【図６】
2019060950.tif 000008
【図７】
2019060950.tif 000009
【図８】
2019060950.tif 000010